(57)【要約】【課題】骨組み構造体を主構造とした屋根部によって躯体構造部の変形を抑制させることで、躯体構造部の補強を必要としない複合構造建物を提供する。【解決手段】トラス２０を主構造として形成される屋根部２と、その屋根部２を下方から支持する鉄筋コンクリートによって形成されるＲＣ部３０とからなる複合構造建物１である。  そして、ＲＣ部は間隔を置いて対向する桁側壁３１ｂ，３１ｂとその桁側壁の端部間に延設される妻側壁３１ａ，３１ａとを有し、トラス２０は桁側壁の上端面３４間に架け渡されて固定される複数の水平梁２１，・・・を備えるとともに、桁側壁の上端面及び妻側壁の上端面の少なくとも一端面を補強するために水平梁の少なくとも一部を組み入れた水平トラス構造を形成している。【選択図】図１
2007224586.tif 000002
【特許請求の範囲】
【請求項１】
骨組み構造体を主構造として形成される屋根部と、その屋根部を下方から支持する鉄筋コンクリートによって形成される躯体構造部とからなる複合構造建物であって、
前記骨組み構造体は前記躯体構造部の上端面間に架け渡されて固定される水平梁を備えて複数配置されるとともに、前記躯体構造部の上端面の少なくとも一側の端面を補強するために前記水平梁の少なくとも一部を組み入れた補強構造が形成されることを特徴とする複合構造建物。
【請求項２】
前記躯体構造部は間隔を置いて対向する桁側部とその桁側部の端部間に延設される妻側部とを備えており、前記補強される端面は前記桁側部の上端面及び前記妻側部の上端面の少なくとも一側であることを特徴とする請求項１に記載の複合構造建物。
【請求項３】
前記補強構造は、前記妻側部の上端面に固定された前記水平梁を組み入れて形成されることを特徴とする請求項２に記載の複合構造建物。
【請求項４】
前記補強構造は、前記桁側部の上端面と交差する前記水平梁の複数を組み入れて形成されることを特徴とする請求項２又は３に記載の複合構造建物。
【請求項５】
前記補強構造は、前記水平梁を腹材又は弦材とした水平トラス構造であることを特徴とする請求項１乃至４のいずれか１項に記載の複合構造建物。
【請求項６】
前記補強構造は、前記水平梁間をウェブ板で連結したプレートガータ構造であることを特徴とする請求項１乃至４のいずれか１項に記載の複合構造建物。
【請求項７】
前記補強構造は、前記上端面と交差する前記水平梁の複数を腹材とし、前記水平梁間に跨る弦材を配置した水平トラス構造であって、前記弦材とそれに交差する複数の水平梁とは水平トラス構造としての交差部に接合点が設けられることを特徴とする請求項１乃至３のいずれか１項に記載の複合構造建物。
【請求項８】
請求項１乃至７のいずれか１項に記載の複合構造建物の構築方法において、前記躯体構造部の上端面を形成するために設置される型枠に前記骨組み構造体を支持させるとともに、前記水平梁に固定されたアンカー部の下端を前記型枠の内側に挿入し、前記型枠の内部にコンクリートを流し込んで前記上端面に前記水平梁を固定することを特徴とする複合構造建物の構築方法。
【発明の詳細な説明】
【技術分野】
【０００１】
本発明は、鉄筋コンクリートによって形成される躯体構造部と、骨組み構造体を主構造とする屋根部とによって構成される複合構造建物及びその構築方法に関するものである。
【背景技術】
【０００２】
従来、鉄筋コンクリートによって共同住宅や戸建ての建物を建設する場合、壁、柱、梁、床スラブ及び屋根部のすべてを鉄筋コンクリートで構築することが多い。
【０００３】
このように屋根部を鉄筋コンクリートで構築した場合、重量が大きくなるため、柱や梁、及び基礎をその重量に耐え得る構造に補強しなければならないためコストが嵩む。
【０００４】
また、鉄筋コンクリートは構築に手間がかかる上に、養生期間が必要となるため工期が長くなる。
【０００５】
一方、特許文献１には、屋根部を軽量な木材や軽量鉄骨材で構築し、壁、柱、梁及び床スラブなどの躯体構造部を鉄筋コンクリートで構築した複合構造建物が開示されている。
【特許文献１】特開平１１−３３６３４１号公報
【発明の開示】
【発明が解決しようとする課題】
【０００６】
しかしながら、特許文献１に開示された複合構造建物は、上方が開口された躯体構造部の変形を抑制するために、壁の上端に沿って板状の補強部が鉄筋コンクリートによって形成されている。
【０００７】
すなわち、特許文献１の複合構造建物は、建物に作用する荷重に対して屋根部以外の躯体構造部で受ける構造となっており、そのために鉄筋コンクリートによって壁から張り出す形状の補強部を構築しなければならないので手間がかかる。
【０００８】
そこで、本発明は、骨組み構造体を主構造とした屋根部によって躯体構造部の変形を抑制させることで、躯体構造部の補強を必要としない複合構造建物及び複合構造建物の構築方法を提供することを目的としている。
【課題を解決するための手段】
【０００９】
前記目的を達成するために、本発明は、骨組み構造体を主構造として形成される屋根部と、その屋根部を下方から支持する鉄筋コンクリートによって形成される躯体構造部とからなる複合構造建物であって、前記骨組み構造体は前記躯体構造部の上端面間に架け渡されて固定される水平梁を備えて複数配置されるとともに、前記躯体構造部の上端面の少なくとも一側の端面を補強するために前記水平梁の少なくとも一部を組み入れた補強構造が形成される複合構造建物であることを特徴とする。
【００１０】
例えば、前記躯体構造部は間隔を置いて対向する桁側部とその桁側部の端部間に延設される妻側部とを備えている場合は、前記補強される端面は前記桁側部の上端面及び前記妻側部の上端面の少なくとも一側となる。
【００１１】
そして、前記補強構造は、前記妻側部の上端面に固定された前記水平梁を組み入れて形成することができる。また、前記補強構造を、前記桁側部の上端面と交差する前記水平梁の複数を組み入れた構造とすることもできる。さらに、前記補強構造を、前記水平梁を腹材又は弦材とした水平トラス構造や、前記水平梁間をウェブ板で連結したプレートガータ構造とすることもできる。
【００１２】
また、前記補強構造を、前記上端面と交差する前記水平梁の複数を腹材とし、前記水平梁間に跨る弦材を配置した水平トラス構造であって、前記弦材とそれに交差する複数の水平梁とは水平トラス構造としての交差部に接合点が設けられる構造とすることができる。
【００１３】
また、前記複合構造建物の構築方法において、前記躯体構造部の上端面を形成するために設置される型枠に前記骨組み構造体を支持させるとともに、前記水平梁に固定されたアンカー部の下端を前記型枠の内側に挿入し、前記型枠の内部にコンクリートを流し込んで前記上端面に前記水平梁を固定する複合構造建物の構築方法であることを特徴とする。
【発明の効果】
【００１４】
このように構成された本発明は、骨組み構造体に備えられた水平梁が躯体構造部の上端面間に架け渡され、複数配置された骨組み構造体の水平梁の少なくとも一部を組み入れた補強構造が形成されている。
【００１５】
例えば、その躯体構造部が間隔を置いて対向する桁側部とその桁側部の端部間に延設される妻側部とを備えている場合は、桁側部の上端面及び妻側部の上端面の少なくとも一端面が補強される。
【００１６】
このため、躯体構造部及び屋根部に作用する風や地震などの水平力に対しては、躯体構造部と屋根部の一体構造として抵抗させることができるので、躯体構造部を特別に補強する必要がない。
【００１７】
また、骨組み構造体を主構造とした屋根部であれば、鉄筋コンクリートによって形成される屋根よりも軽量化できるため、躯体構造部や基礎の鉛直方向の耐力を補強する必要がないうえに、風や地震などによる慣性力によって作用する水平力を減少させることができる。
【００１８】
さらに、前記妻側部の上端面に固定された前記水平梁に補強構造を形成することで、躯体構造部の妻側部の変形をより効果的に抑制することができる。
【００１９】
また、前記桁側部の上端面と交差する前記水平梁の複数を組み入れた補強構造を形成することで、躯体構造部の桁側部の変形をより効果的に抑制することができる。
【００２０】
さらに、前記上端面と交差する前記水平梁の複数を腹材とし、前記水平梁間に跨る弦材を配置した大型の水平トラス構造を形成すれば、少ない部品数で広範囲に亘って補強構造を形成することができるので、施工性に優れている。
【００２１】
また、本発明の複合構造建物の構築方法においては、前記躯体構造部の上端面を形成するためのコンクリートを流し込むことで、前記上端面と前記水平梁を固定することができるので、施工性に優れている。
【発明を実施するための最良の形態】
【００２２】
以下、本発明の最良の実施の形態について図面を参照して説明する。
【００２３】
図１は、本実施の形態の複合構造建物１の概略構成を示した斜視図である。
【００２４】
まず、構成から説明すると、このような本実施の形態の複合構造建物１は、骨組み構造体を主構造とする屋根部２と、その屋根部２を下方から支持する躯体構造部としてのＲＣ部３０とから主に構成されている。
【００２５】
このＲＣ部３０は、鉄筋コンクリートで構築されて外力に対して抵抗する部分で、壁部３１、柱（図示せず）、梁（図示せず）、床部３３（図３参照）などから主に構成される。
【００２６】
また、壁部３１には、例えば平面視略矩形の複合構造建物１の短辺側の壁となる妻側部としての妻側壁３１ａと、長辺側の壁となる桁側部としての桁側壁３１ｂとがあり、間隔を置いて対向する桁側壁３１ｂ，３１ｂの端部間が妻側壁３１ａ，３１ａによって連結されている。さらに、図１においては桁側壁３１ｂに開口部３２が設けられてガラス窓３ｂが設置されている。
【００２７】
また、屋根部２は、骨組み構造体として二等辺三角形状のトラス２０を複数配置して構成されるもので、桁側壁３１ｂ，３１ｂの上端面３４間にトラス２０の水平梁２１（２１Ａ，２１Ｂ）が架け渡されている（図４参照）。
【００２８】
なお、図１では複合構造建物１の中央部付近のトラス２０の図示は省略されているが、実際にはトラス２０は桁側壁３１ｂの延設方向に一定の間隔を置いて複数配置されている。
【００２９】
このトラス２０は、下弦材としての水平梁２１と、屋根の勾配に合わせて配置される垂木２２と、水平梁２１と垂木２２とに両端が接合板２４などによって接合される斜材２３とによってトラス構造に形成される。
【００３０】
さらに屋根部２には、図２に示すように、垂木２２の上に野地板２ａが張り付けられ、その野地板２ａの上には瓦２ｂが設置されている。
【００３１】
また、水平梁２１の下面には天井板２ｃが張り付けられ、天井板２ｃの上面にはグラスウールなどの断熱材４が配置されている。
【００３２】
このように屋根部２は、木材や軽量鉄骨材などによって構成されるトラス２０を主構造としているため、鉄筋コンクリートによって形成される屋根に比べて軽量である。
【００３３】
また、ＲＣ部３０は、図２に示すように床部３３と、その端部から垂下される壁部３１２と、開口部３２の上方に設けられる壁部３１１とから主に構成される。そして開口部３２は、ガラス窓３ｂが設けられるとともにその下方に外壁部３ｃが設けられることで遮蔽されている。
【００３４】
さらに、壁部３１（３１１，３１２）及び外壁部３ｃの内側面には断熱材４が配置されるとともに、室内側に内壁３ａが設置されている。
【００３５】
また、図３に示すように、ＲＣ部３０の上端面３４とトラス２０の水平梁２１とは、アンカー部としてのアンカーボルト６によって固定されている。
【００３６】
このアンカーボルト６は、頭部が水平梁２１に固定されるとともに、下端がトラス用架台５を貫通して下方に突出しており、この突出した下端が壁部３１１（３１）に埋設されることによって水平梁２１が上端面３４に固定される。
【００３７】
このような複合構造建物１を建設するには、まず、床部３３とその端部に垂下させる壁部３１２を型枠７と支保材７２を設置して鉄筋コンクリートにより構築する。
【００３８】
そして、床部３３のコンクリートを養生して所定の強度を発現させた後に、床部３３の上面に支保材７２，７４を立設し、その上に壁部３１１を形成するための内外側面用の型枠７，７を設置する。
【００３９】
この型枠７，７間は内部に打設されるコンクリートの側圧によって広がらないように、緊結具７１によって拘束されている。
【００４０】
また、外側の型枠７の上端面には小壁７５が立設され、その小壁７５の内側面側には長尺状のトラス用架台５が固定される。このトラス用架台５上にはトラス２０の水平梁２１の端部が設置される。
【００４１】
そして、この水平梁２１の端部上面からアンカーボルト６がトラス用架台５に向けて挿通され、トラス用架台５の下面から突出したアンカーボルト６の下端は型枠７，７の内部に収容される。
【００４２】
この状態で鉄筋（図示せず）が組まれた型枠７，７内にコンクリートを流し込んで、トラス用架台５の下面までコンクリートを打ち上げる。この際、室内側にも斜めに支保材７６と控え綱７３が張られ、型枠７，７内部に流し込まれたコンクリートの側圧に耐えられるようになっている。
【００４３】
そして、コンクリートが固まって所定の強度に達すると、控え綱７３及び支保材７６が撤去されるとともに型枠７，７も取り外される。
【００４４】
また、トラス２０の水平梁２１の端部は、壁部３１１に埋設されたアンカーボルト６によって上端面３４に固定されるとともに、下方から支持されることになる。
【００４５】
このようにトラス２０の水平梁２１をＲＣ部３０の上端面３４に固定すれば、ＲＣ部３０に作用した荷重もトラス２０に伝達されることになるので、ＲＣ部３０の上方開口部の変形を抑制することができる。
【００４６】
さらに、図４に示すようにこの水平梁２１を補強することで、複合構造建物１全体の変形を大幅に低減することができる。
【００４７】
図４には、妻側壁３１ａの直交方向から作用する水平力Ｘと、桁側壁３１ｂの直交方向から作用する水平力Ｙとを図示した。これらの水平力Ｘ，Ｙは、風や地震などによって複合構造建物１に作用する力である。
【００４８】
この水平力Ｘに対して複合構造建物１の変形を抑制するためには、妻側壁３１ａの上端面３４の延設方向に沿って配置された水平梁２１Ａと、その水平梁２１Ａと略平行に配置された隣の水平梁２１Ｂとを弦材とする水平トラス構造を形成して補強構造とすればよい。
【００４９】
この水平梁２１Ａと妻側壁３１ａの上端面３４との間には、全長にわたってトラス用架台（図示せず）が介在されて桁側壁３１ｂ側と同様に水平梁２１Ａが妻側壁３１ａに固定されているので、妻側壁３１ａに作用した荷重は水平梁２１Ａに伝達されることになる。
【００５０】
そして、このように並行する２本の水平梁２１Ａ，２１Ｂ間に腹材８３及び束材８４を架け渡し、腹材８３と束材８４の両端をそれぞれ水平梁２１Ａ，２１Ｂに接合すれば、妻側壁３１ａ上の水平梁２１Ａが水平トラス構造となって補強されて剛性が高まり、水平力Ｘが作用したときの変形を抑えることができる。
【００５１】
なお、水平トラス構造の接合は、水平梁２１、腹材８３、束材８４などの構成部材が木材であれば釘、ボルト又は接合板を介した接合とし、鉄骨であれば溶接やボルトによる接合とすればよい。
【００５２】
また、水平力Ｙに対して複合構造建物１の変形を抑制するためには、桁側壁３１ｂの上端面３４の延設方向に沿って配置される長尺部材であるトラス用架台５を弦材の一方とし、そのトラス用架台５と略平行にもう一方の弦材８１を配置し、トラス用架台５と弦材８１に直交する複数の水平梁２１Ａ，２１Ｂ，・・・を束材とし、その水平梁２１Ａ，２１Ｂ，２１Ｂ間に腹材８２を架け渡して各部材を接点で接合することでトラス構造を形成して補強構造とすればよい。
【００５３】
この補強構造を断面で見ると、図５（図４のＡ−Ａ線方向の断面図）に示すように、水平梁２１の下面側に配置されたトラス用架台５と、水平梁２１の上面側に配置された弦材８１と、水平梁２１及び腹材８２とによって形成されている。
【００５４】
そして、アンカーボルト６によって水平梁２１及びトラス用架台５が桁側壁３１ｂの上端面３４に固定されているので、桁側壁３１ｂが補強されて剛性が高まり、水平力Ｙが作用したときの変形を抑えることができる。
【００５５】
このような水平梁２１を利用した補強構造は、図４に示すようにＲＣ部３０の上端面３４の全周に沿って設けることもできるが、このＲＣ部３０に隣接して別のＲＣ部（図示せず）が構築されるなどして隣接側の補強を必要としない場合などは、その部分だけ省略することもできる。
【００５６】
次に、本実施の形態の複合構造建物１の作用について説明する。
【００５７】
このように構成された複合構造建物１は、トラス２０に備えられた水平梁２１がＲＣ部３０の桁側壁３１ｂの上端面３４及び妻側壁３１ａの上端面の少なくとも一側の端面を補強するために前記水平梁２１，・・・の少なくとも一部を組み入れた水平トラス構造が形成されている。
【００５８】
このため、ＲＣ部３０及び屋根部２に作用する風や地震などの水平力Ｘ，Ｙに対しては、ＲＣ部３０と屋根部２の一体構造として抵抗させることができるので、ＲＣ部３０を特別に補強する必要がない。
【００５９】
特に、トラス２０を主構造とする屋根部２は軽量であるため、風や地震などによって発生する慣性力を低減できるうえに、屋根部２の自重を支持させるためにＲＣ部３０や基礎の断面を大きくして補強する必要がない。
【００６０】
また、屋根を鉄筋コンクリートで構築した場合、型枠の設置に手間がかかったり、養生期間が終了するまで室内を占拠する支保工によって内装工事が着手できなかったりするために工期が長くなるが、本実施の形態の複合構造建物１であれば、壁部３１にトラス２０を支持させた後は、屋根部２の工事と室内の工事を並行しておこなうことができるので、大幅な工期の短縮が可能になる。
【００６１】
さらに、本実施の形態の複合構造建物１は、遮音性、耐久性、耐火性、耐震性などが高度に要求される部分は鉄筋コンクリートで構築されているので、高品質を確保することができる。
【００６２】
また、妻側壁３１ａの上端面３４上の水平梁２１を弦材にして水平トラス構造を形成することで、妻側壁３１ａに直交する方向から作用した水平力Ｘに対してＲＣ部３０の変形をより効果的に抑制することができる。
【００６３】
さらに、桁側壁３１ｂの上端面３４上の延設方向と直交する複数の水平梁２１を束材（腹材）とする水平トラス構造を形成することで、桁側壁３１ｂに直交する方向から作用した水平力Ｙに対してＲＣ部３０の変形を抑制することができる。
【００６４】
このように水平梁２１を利用した補強構造を形成することで、屋根部２において少ない材料で効果的な補強をおこなうことができる。
【００６５】
また、水平梁２１の下方にアンカーボルト６の下端を突出させておき、ＲＣ部３０の上端面３４を形成するためのコンクリートを流し込むだけで、上端面３４と水平梁２１とを固定することができるので、施工性に優れている。
【実施例１】
【００６６】
以下、前記した実施の形態の実施例１について説明する。なお、前記実施の形態で説明した内容と同一乃至均等な部分の説明については同一符号を付して説明する。
【００６７】
前記実施の形態では、水平梁２１を利用した水平のトラス構造を形成することで補強構造としたが、この実施例１では、別の形態の補強構造について説明する。
【００６８】
図６には、水平梁２１を利用した３種類の補強構造の斜視図を示した。
【００６９】
図６（ａ）は、略平行に並べた水平梁２１，２１間に、波形に腹材８５，・・・を配置して構成したラチス方式の補強構造を示した図である。この腹材８５，・・・の両端は、水平梁２１，２１の側面に接合されている。
【００７０】
ここで、接合方法としては、水平梁２１や腹材８５が木材であれば釘や接合板を介した接合とし、水平梁２１や腹材８５が鉄骨であれば溶接やボルトによる接合をおこなう。
【００７１】
また、図６（ｂ）は、略平行に並べた水平梁２１，２１間にウェブ板８６を配置して構成したプレートガータ方式の補強構造を示した図である。このウェブ板８６の側面は水平梁２１，２１の内側面に部材の材質に適した方法で接合されている。
【００７２】
さらに、図６（ｃ）は、略平行に並べた水平梁２１，２１の下面にウェブ板８７を配置して構成したプレートガータ方式の補強構造を示した図である。このウェブ板８７は水平梁２１，２１の下面に接合されている。
【００７３】
また、図７には、水平梁２１を利用した別の補強構造の斜視図を示した。
【００７４】
図７（ａ）は、略平行に並べた水平梁２１，２１間に斜めに腹材８５，・・・を配置するとともに、天井板の取付用に水平梁２１，２１の下面に取り付けた天井野縁材８８，・・・を組み入れて構成したラチス方式の補強構造を示した図である。この腹材８５，・・・の両端は、水平梁２１，２１の側面に接合されている。
【００７５】
また、図７（ｂ）は、略平行に並べた水平梁２１，・・・の上面に跨ってウェブ板８９を配置して構成したプレートガータ方式の補強構造を示した図である。このウェブ板８９は、水平梁２１・・・に略直交する向きで水平梁２１・・・の上面に架け渡した弦材８９１と、桁側壁３１ｂ上に固定したトラス用架台５との間を連結するように配置される。
【００７６】
なお、この弦材８９１は、ウェブ板８９が充分に厚く、剛性が高い場合は省略することができる。
【００７７】
このようにトラス２０の構成部材である水平梁２１を利用して、所望する補強構造が得られるように最適な構造を選択することができる。
【００７８】
なお、他の構成及び作用効果については、前記実施の形態と略同様であるので説明を省略する。
【実施例２】
【００７９】
以下、実施例２について図８を参照しながら説明する。なお、前記実施の形態で説明した内容と同一乃至均等な部分の説明については同一符号を付して説明する。
【００８０】
この実施例２では、前記実施の形態で説明した桁側壁３１ｂに沿って形成した補強構造に代えて、図８に示すような大型の水平トラス構造を補強構造として形成する場合について説明する。
【００８１】
この実施例２においても、トラス用架台５をトラスの弦材として利用し、そのトラス用架台５の両端に一端がそれぞれ接合される水平トラス弦材９１，９１の他端同士を、複合構造建物１の略中央に配置された水平梁２１上で突き合わせる。
【００８２】
また、水平トラス弦材９１，９１の途中に一端を接合した腹材９２，９２の他端は、トラス用架台５と水平梁２１が重なる位置で突き合わせて接合する。
【００８３】
ここで、水平トラス弦材９１，９１、腹材９２，９２及びトラス用架台５と水平梁２１，・・・とのトラス構造としての接合点９３，・・・は、交差するすべての水平梁２１，・・・に対して設けられるものではなく、水平トラス構造として機能するように図８に接合点９３，・・・として示した位置に設ける。
【００８４】
この接合点９３，・・・においては、ビスの本数を多くしたり金具のサイズを大きくしたりするなどして必要に応じて接合強度を高めておく。
【００８５】
また、図８で水平トラス構造を形成した桁側壁３１ｂと反対側の桁側壁３１ｂにも接合点９３，９３，９３が設けられているので、いずれの桁側壁３１ｂ，３１ｂに作用する水平力（Ｙ）に対してもこの水平トラス構造によって抵抗させることができる。
【００８６】
また、図８では、一方の桁側壁３１ｂにのみ水平トラス構造を設けたが、これに限定されるものではなく、両側の桁側壁３１ｂ，３１ｂに水平トラス構造を設けることができる。
【００８７】
さらに、妻側壁３１ａの変形を抑制するための水平トラス構造も、同様の構成とすることができる。
【００８８】
このような大型の水平トラス構造を形成する方法であれば、少ない部品数で広範囲に亘って補強構造を形成することができるので、施工性に優れている。
【００８９】
また、水平トラス構造を構成する水平梁２１とそれ以外の水平梁２１との部材強度を変えて、経済的な構造を選択することもできる。
【００９０】
なお、他の構成及び作用効果については、前記実施の形態又は実施例１と略同様であるので説明を省略する。
【００９１】
以上、図面を参照して、本発明の最良の実施の形態を詳述してきたが、具体的な構成は、この実施の形態に限らず、本発明の要旨を逸脱しない程度の設計的変更は、本発明に含まれる。
【００９２】
例えば、前記実施の形態では、躯体構造部の妻側部を妻側壁３１ａとし、桁側部を桁側壁３１ｂとした場合について説明したが、これに限定されるものではなく、妻側部を梁とし桁側部を桁としてその桁の上端面間に骨組み構造体の水平梁２１を架け渡してもよい。また、複合構造建物１の平面視は矩形に限定されるものではなく、正方形や直角にならない角部を有する多角形であってもよい。
【００９３】
さらに、前記実施の形態では、屋根部が切妻屋根に形成されるものについて説明したが、これに限定されるものではなく、屋根部が寄棟屋根である場合や鉄筋コンクリート製の妻側壁が切妻屋根の斜面を形成する垂木の直下まで立ち上げられている場合にも本発明を適用することができる。
【００９４】
また、前記実施の形態では、トラス用架台５を介して水平梁２１と上端面３４を固定したが、これに限定されるものではなく、水平梁２１を直接上端面３４に固定する構造であってもよい。この場合は、壁部３１又は図示しない梁又は桁を水平トラス構造の弦材とすればよい。
【００９５】
さらに、前記実施の形態では、水平梁２１に頭部を固定したアンカーボルト６の下端をトラス用架台５から突出させて上端面３４に固定したが、これに限定されるものではなく、上端面３４上に固定したトラス用架台５にビスなどで水平梁２１を接合することで間接的に上端面３４に水平梁２１を固定してもよい。
【００９６】
また、前記実施の形態では、二等辺三角形状のトラス２０を骨組み構造体として使用する例について説明したが、これに限定されるものではなく、直角三角形状、左右の勾配が異なる三角形状、台形や矩形などの四角形状のトラスを骨組み構造体として使用することができる。
【００９７】
さらに、前記実施の形態では、アンカーボルト６を配置した後に上端面３４を形成する壁部３１１用のコンクリートを打設してアンカーボルト６の先端を埋設させたが、これに限定されるものではなく、壁部３１１を構築した後にアンカー孔を穿孔してアンカーボルト６をアンカー孔のインサートに螺入することで固定してもよい。
【図面の簡単な説明】
【００９８】
【図１】本発明の最良の実施の形態の複合構造建物の概略構成を示した斜視図である。
【図２】本発明の最良の実施の形態の複合構造建物の構成を示した断面図である。
【図３】ＲＣ部と水平梁とを固定する方法を説明するための断面図である。
【図４】水平梁の上方から見た平面図である。
【図５】図４のＡ−Ａ線方向の断面図である。
【図６】実施例１の水平梁の補強構造を示した斜視図である。
【図７】実施例１の水平梁のその他の補強構造を示した斜視図である。
【図８】実施例２の水平梁の上方から見た平面図である。
【符号の説明】
【００９９】
１            複合構造建物
２            屋根部
２０          トラス（骨組み構造体）
２１          水平梁
３０          ＲＣ部（躯体構造部）
３１ａ        妻側壁（妻側部）
３１ｂ        桁側壁（桁側部）
３４          上端面
６            アンカーボルト（アンカー部）
７            型枠
８１              弦材
８２，８３，８５  腹材
８４              束材（腹材）
８６，８７，８９  ウェブ板
９１              水平トラス弦材
９２              腹材
９３              接合点
【図１】
2007224586.tif 000003
【図２】
2007224586.tif 000004
【図３】
2007224586.tif 000005
【図４】
2007224586.tif 000006
【図５】
2007224586.tif 000007
【図６】
2007224586.tif 000008
【図７】
2007224586.tif 000009
【図８】
2007224586.tif 000010